(57)【要約】      （修正有）【課題】キーを統一させるために、標準装備の手動式解錠装置を一斉交換する際、同時に電動化をも図る。【解決手段】スライドプレート３．４を移動させて枠体用係止爪５、或いはガラス窓用係止爪６を操作し、ガラス窓と枠体をロック／アンロック操作する施錠機構Ｂに、前記スライドプレート３．４を回動する爪付きカム１０の爪に引っ掛けて移動操作する解錠機構Ａを組み付ける。爪付きカム１０は、手動式解錠機構におけるシリンダ式錠前のケースと互換性のあるハウジング８内に収容されたモータ９によって駆動される。【選択図】図２
2006116020.tif 000002
【特許請求の範囲】
【請求項１】
遊技機の枠体内面に取り付けられ、ガラス窓と枠体とをロックする施錠機構に、モータ駆動によって爪付きカムを回動させて前記施錠機構のロックを解除する解錠機構を一体に設け、前記モータを、標準装備されている手動式解錠機構におけるシリンダ式錠前のケースと互換性のあるハウジング内に収容し、そのハウジングを前記ケースと同じ位置に配置した遊技機用電動式解錠装置。
【発明の詳細な説明】
【技術分野】
【０００１】
本発明は、爪付きカムをモータで中立位置から右又は左方向に所定角度回転させることによって、その爪付きカムの爪に引っ掛けてスライドプレートを移動させて係止爪を操作し、ガラス窓或いは枠体のロックを解除する遊技機用電動式解錠装置に関する。
【背景技術】
【０００２】
遊技機、例えばパチンコ機では、遊技球が釘の間を通過することができずに挟まれたままになってしまうとか、供給路で詰まりを起こすなどといったのトラブルに対処したり、定期的なメンテナンスを行うために、ガラス窓や枠体を開いて遊技面や裏側を操作できるようになっている。
そしてそれらのガラス窓や枠体は施錠機構の係止爪によりロックされており、特許文献１に記載のように、遊技機には、鍵穴にキーを差し込んで爪付きカムを回動させ、その爪付きカムの爪に引っ掛けてスライドプレートを移動させることによって前記係止爪によるロックを解除する手動式の解錠機構が標準装備されている。
この標準装備されている手動式の解錠機構は、各社いずれも基本構造は共通しているものの、詳細な部分については微妙に異なっており、キーの形態に至っては異なる機種の間の互換性が全くない。
複数種の遊技機を備えたホールでは、係員が機種の違いに相当する数のキーを携帯しなくてはならないので、ホールに設置する際は、すべての台の解錠キーを交換し、一種類に統一させているのが実情である。
又、手動式の解錠機構は、プレーしている人と人の間から背面より手を伸ばしてキーをキー穴に差し込み、前屈みの姿勢で回動させなくてはならないので作業しづらい。
そのため、特許文献２、或いは特許文献３に記載のように、電動式解錠機構も提案されている。
【０００３】
【特許文献１】特開２００２−３０１２５１号公報
【特許文献２】特開昭５−２９３２３６号公報
【特許文献３】実開平８−３３６号公報
【発明の開示】
【発明が解決しようとする課題】
【０００４】
特許文献２に記載の電動式解錠機構は、電動機（モータ）を下端に配置し、スライドプレートを押し上げる特殊な構造であって、標準装備されている解錠機構に対して全く互換性がない。
【０００５】
引用文献３に記載の電動式解錠機構は、ワイヤーを引っ張ることで複数台を一度に解錠させることを目的としており、個々の台に対しては従来通りの手動式キーを利用しなくてはならないので、電動化のメリットが充分生かされてない。
【課題を解決するための手段】
【０００６】
本発明は、標準装備されている施錠機構とのマッチングを図りつつ、高効率で解錠装置の電動化を目的とした遊技機用電動式解錠装置であって、その構成は、遊技機の枠体内面に取り付けられ、ガラス窓と枠体とをロックする施錠機構に、モータ駆動で爪付きカムを回動させて前記施錠機構のロックを解除する解錠機構を一体に設け、前記モータを、標準装備されている手動式解錠機構におけるシリンダ式錠前のケースと互換性のあるハウジング内に収容し、そのハウジングを前記ケースと同じ位置に配置したことにある。
【発明の効果】
【０００７】
シリンダ式錠前のケースと互換性のあるハウジング内にモータが内蔵されており、そのモータによって爪付きカムを駆動する構造であるから、標準装備の解錠機構を、施錠機構と共にそっくりそのまま総替えするだけで作業は完了し、取り付け後の調整は一切不要で、標準装備されている手動式の施錠機構とも互換性が保たれ、取り付け後の微調整は必要なく、部品の転用が可能である。
【発明を実施するための最良の形態】
【０００８】
本発明に係る遊技機用電動式解錠装置を、パチンコ機に実施した一例について図面に基づき説明する。
図１の（ａ）は、解錠機構Ａを施錠機構Ｂから分離して示したもので、１は、枠体（図示せず）の裏面側縁部に密着配置される固定プレート１ａと、その固定プレート１ａの長手方向に沿って直角に突出した張り出しプレート１ｂとにより形成された断面Ｌ字状の縦長いフレームであり、このフレーム１の固定プレート１ａには、解錠機構Ａを取り付けるための取り付け穴２が打ち抜き形成され、張り出しプレート１ｂには施錠機構Ｂが組み付けられている。
【０００９】
施錠機構Ｂは、長手方向へ摺動自在な二枚のスライドプレート３，４と、一方のスライドプレート３の端部に連結された枠体用係止爪５、及び他方のスライドプレート４に突設されたガラス窓用係止爪６とを備え、前記一方のスライドプレート３と他方のスライドプレート４とは、コイルスプリング７によって相互に引っ張られている。
そのため各スライドプレート３、４をコイルスプリング７のバネ力に抗してスライドさせると、枠体用係止爪５、或いはガラス窓用係止爪６が解錠方向へ移動（回動）する。
【００１０】
解錠機構Ａは、図１の（ｂ）に示すように、円筒状ケースの両脇に翼部を有したシリンダ式錠前のケースと互換性のあるハウジング８内に、モータ９が内蔵されており、モータ９の軸には爪付きカム１０が取り付けられる。
爪付きカム１０の爪は、モータが左右に回転動作されることにより、スライドプレート３に形成された係止部１１、スライドプレート４に形成された係止爪１２を引っ掛け、各スライドプレート３，４をコイルスプリング７のバネ力に抗してスライドさせるようになっている。
【００１１】
前記解錠機構Ａに内蔵されたモータ９は、解錠機構Ａを取り付け穴２に嵌め込んだ組み付けた状態で、前記爪付きカム１０の各爪がいずれの係止部１２，１３のいずれにも係止されていない位置を中立位置にとし、その中立位置を基準として左右それぞれ回動させる角度が設定されている。
中立位置や回動させる角度は、例えばモータ軸に取り付けたカム形状を、接触式のリミットスイッチで機械的に、又は非接触式の磁気センサ、光センサ等により電気的に検出した信号、或いはモータに内蔵されたエンコーダからの信号を利用して制御される。
解錠信号受信部及び制御部は、呼び出しランプに内蔵されており、解錠信号は、キーに見立てた送信機或いは制御室から送出される。
【００１２】
標準装備されている手動式の解錠機構は、前記したように各社いずれも基本構造は共通しているものの、爪付きカムの形状や回動角度はまちまちであるため、モータの回動角度が予め設定されていて、その角度を変更できないる場合は、施錠装置に適合する爪付きカムが必要になる。
しかしモータの回動角度を変更可能とすることで、爪付きカム１０には、標準装備されている解錠機構から取り外した爪付きカムをそのまま利用することができる。
【００１３】
次に解錠動作の制御について説明すると、例えば呼び出しランプに向けて解錠信号が発せられると、制御部はＳ１にて受信したことを確認し、その解錠信号がガラス窓用か枠体用かのどちらかであるかを判断する。
実施例では、Ｓ２にてガラス窓用か否かを判断し、ガラス窓用であれば、Ｓ３でモータを右方向に回転駆動させ、そうでない場合はＳ４で左回転させる
モータが回転されることによりスライドプレートが移動し、所定角度回動すればそれを知らせる信号が発せられる。
【００１４】
Ｓ５にて信号を受信すると、Ｓ６でモータは停止され、ロックが解除されてガラス窓や枠体を開くことができるようになる。
モータが停止してから一定時間、例えば５秒経過後、Ｓ７でタイマーが作動し、Ｓ８でモータが逆転されて中立位置まで戻る。
この状態をＳ９で確認し、Ｓ１０でモータは停止する。
以上一連の動作で爪付きカムは中立位置に戻り、一旦開けられたガラス窓や枠体が閉められればバネ力で自動的にロックされる。
【００１５】
このように形成された解錠機構は、標準装備の解錠機構と施錠機構とをセットにしたまま総替えしてしまえるので、面倒な調整作業は不要になる。
而も、施錠機構自体は既存の部材を流用することが可能であるため、取り外した部材はストック用の部品として利用価値が高い。
【００１６】
実施例では解錠信号の受信部を呼び出しランプに設けているが、解錠ユニットに内蔵させることもできるし、制御室から遠隔操作するようにもできる。
尚、解錠機構には、遊技機の表面に露出する部分に、解錠動作確認用のランプを組み込み、ロックが解除中、即ち、タイマーが作動している間だけ点灯させることもできる。
【００１７】
更に、前記解錠機構のモータが中立位置に戻った際には、補助ロック機構を作動させるようにもできる。
補助ロック機構に、例えば強固なかんぬき式を採用すれば、枠の隙間から薄板などを差し込んで係止爪が操作されたり、バールなどで強引に施錠機構が破壊されても、ガラス窓や枠体が不正に開かれることがなくなる。
尚、解錠機構のケースは、円筒状を断面八角形の筒状に変更し、角張った形状を採用したり、モータ部分が突出した形状とするすることもできる。
【００１８】
本実施例ではパチンコ機について説明したが、本発明の解錠ユニットは、パチスロ機、スロットマシン等といった他の遊技機や両替機、玉貸し機などにも転用可能である。
【図面の簡単な説明】
【００１９】
【図１】解錠機構を施錠機構から分離して示した電動式解錠装置の説明図である。
【図２】施錠機構と一体化された解錠機構を示す電動式解錠装置の説明図である。
【図３】解錠動作を示すフローチャート図である。
【符号の説明】
【００２０】
Ａ・・解錠機構、Ｂ・・施錠機構、１・・フレーム、１ａ・・固定プレート、１ｂ・・張り出しプレート、２・・取り付け穴、３、４・・スライドプレート、５・・枠体用係止爪、６・・ガラス窓用係止爪、７・・コイルスプリング、８・・ハウジング、９・・モータ、１０・・爪付きカム。
【図１】
2006116020.tif 000003
【図２】
2006116020.tif 000004
【図３】
2006116020.tif 000005